(57)【要約】【課題】本発明は、移動端末または移動端末機能を有する装置を用いて、同一の無線チャンネルに複数のサービスを多重化して同時に提供するサービス提供方法に係り、特に、無線相互干渉を減らすための音声ボコーディング転送、ボコーディング可変レート適用といった移動通信網の無線接続における特徴を最大限に活用して、最適な無線チャンネル接続で同一の無線チャンネルを介して複数のサービスを提供する移動端末装置に関する。【解決手段】本発明は、複数のサービスを同時に送／受信することにより、複数のサービスを同時に提供することができ、その結果、移動通信システムでの付加サービスを創出することができるという効果を奏する。
2006516841.tif 000002
【特許請求の範囲】
【請求項１】
同一の無線チャンネルに複数のサービスを多重化及び逆多重化して同時に提供する移動端末において、音声データを可変レートでボコーディングするためのボコーダー部と、音声サービス、文字メッセージ・サービス、画像及びイメージ・データ・サービスのうち少なくとも一つのサービスを多重化または逆多重化する多重化／逆多重化部と、前記サービスに相応するメッセージをパッケージ化する一方、多重化のための送信データ及び逆多重化された受信データを処理する少なくとも一つ以上のＣＭＳ（Ｃｏｎｃｕｒｒｅｎｔ  Ｍｕｌｔｉｐｌｅ  Ｓｅｒｖｉｃｅ）処理部と、前記パッケージ化されたメッセージを上向き無線接続によって相手移動端末に同時に提供する一方、多重化されたフレームを無線整合形態に構成した後、移動通信網を利用して送受信する無線モデム部と、を含んでなることを特徴とする同一の無線チャンネルを介して複数のサービスを提供する移動端末。
【請求項２】
前記多重化／逆多重化部は、前記ＣＭＳ処理部からのＣＭＳデータと前記ボコーダー部からの可変レートの音声フレームとを多重化して出力するＣＭＳ送信部と、前記無線モデム部から受信されるフレームを逆多重化してＣＭＳデータを抽出するＣＭＳ受信部と、を含んでいることを特徴とする、請求項１記載の同一の無線チャンネルを介して複数のサービスを提供する移動端末。
【請求項３】
前記ＣＭＳ送信部は、前記受信されるＣＭＳデータを保存する保存手段と、前記ボコーダーから受信される音声フレームの状態を検査する音声フレーム検査部と、前記音声フレーム検査部の検査結果に基づき、前記音声フレームとＣＭＳデータを一つのフレームとして出力するフレーム部と、を含んでいることを特徴とする、請求項２記載の同一の無線チャンネルを介して複数のサービスを提供する移動端末。
【請求項４】
前記フレーム部は、ボコーダーから受信される音声フレームの可変レートがフル(Full)レートでない場合に、ＣＭＳデータを含んでフレーム化することを特徴とする、請求項３記載の同一の無線チャンネルを介して複数のサービスを提供する移動端末。
【請求項５】
前記ＣＭＳ受信部は、前記無線モデム部から受信されるフレームにＣＭＳデータがあるどうかを確認して検出するＣＭＳデータ確認／検出部と、前記ＣＭＳデータ確認／検出部で検出したＣＭＳデータを保存する 保存手段と、を含んでいることを特徴とする、請求項２記載の同一の無線チャンネルを介して複数のサービスを提供する移動端末。
【請求項６】
前記ＣＭＳ処理部は、外部データ提供装置と整合する送受信整合部と、前記送受信整合部から受信されるＣＭＳデータを多重化可能なタイプに変換して前記多重化／逆多重化部に出力する一方、多重化／逆多重化部に保存されているＣＭＳデータをユーザが確かめるためのタイプに変換して前記送受信整合部に出力するＣＭＳ管理部と、を含んでいることを特徴とする、請求項１記載の同一の無線チャンネルを介して複数のサービスを提供する移動端末。
【請求項７】
前記ＣＭＳ管理部は、前記送受信整合部から受信されるＣＭＳデータを分割するデータ分割部と、前記分割されたデータを特定周期ごとに多重化／逆多重化部に出力するか、多重化／逆多重化部に保存されているＣＭＳデータを特定周期ごとに取り出してデータ組合部に出力するデータ伝達部と、前記データ伝達部から受信されるＣＭＳデータを組み合わせるデータ組合部と、を含んでいることを特徴とする、請求項６記載の同一の無線チャンネルを介して複数のサービスを提供する移動端末。
【請求項８】
前記データ分割部及びデータ組合部は、分割及び組み合わせたデータを保存するバッファーをさらに含むことを特徴とする、請求項７記載の同一の無線チャンネルを介して複数のサービスを提供する移動端末。
【請求項９】
前記特定周期は、無線の音声チャンネルが提供するフレーム送信周期と同一であることを特徴とする、請求項７記載の同一の無線チャンネルを介して複数のサービスを提供する移動端末。
【請求項１０】
前記サービスは、名刺サービス、写真サービス及びファイルサービスのうち少なくともいずれか一つであることを特徴とする、請求項１記載の同一の無線チャンネルを介して複数のサービスを提供する移動端末。
【請求項１１】
同一の無線チャンネルに複数のサービスを多重化及び逆多重化して同時に提供する方法において、外部データ提供装置からＣＭＳデータを受信し、それを多重化可能なサイズに分割する段階と、ボコーダーから受信される音声フレームの可変レートを検査し、それが前記分割されたＣＭＳデータを含めるかどうかを判断する段階と、前記判断結果に基づき、ＣＭＳデータと音声フレームを一つのフレームとして無線モデム部に転送する段階と、を含んでいることを特徴とする、請求項６記載の同一の無線チャンネルを介して複数のサービスを送信する方法。
【請求項１２】
同一の無線チャンネルに複数のサービスを多重化及び逆多重化して同時に提供する方法において、無線モデム部を介して受信されるフレームからＣＭＳデータを抽出して保存する段階と、前記保存されたＣＭＳデータを特定周期ごとに取り出して組み合わせる段階と、前記組み合わせられたＣＭＳデータを送受信整合部を介して外部データ提供装置に伝達する段階、とを含んでいることを特徴とする、同一の無線チャンネルを介して複数のサービスを受信する方法。
【発明の詳細な説明】
【技術分野】
【０００１】
本発明は、移動端末または移動端末機能を行う装置を用いて、同一の無線チャンネルに複数のサービスを多重化して同時に提供するサービス提供方法に係り、特に、無線相互干渉を減らすための音声ボコーディング転送、ボコーディング可変レート適用などの移動通信網の無線接続の特徴を最大限に活用して、最適の無線チャンネル接続で同一の無線チャンネルを介して複数のサービスを提供する移動端末装置に関する。
【背景技術】
【０００２】
移動通信サービスは、初期には音声通話第一のサービスを提供していたが、徐々に有線網が提供している回線データ・サービスとの連動によるサービスを提供するようになり、現在はパケット・データ・サービスを提供しつつある。
【０００３】
このように、移動通信システムが提供するデータ・サービスは、大きく回線データ・サービスとパケット・データ・サービスとに大別される。
【０００４】
移動通信システムにおいて、回線データ・サービスは、移動通信システムの回線データ・サービスのための網間接続機能(Interworking Function；ＩＷＦ)装置などを介して提供され、パケット・データ・サービスは、移動通信システムのパケット・データ・サービスのためのパケット・データ・サービス・ノード(Packet Data Service Node；ＰＤＳＮ)装置などの付加装置を介して提供される。
【０００５】
以下、添付した図面を参照して従来技術に係る移動端末のデータ・サービス提供装置を説明する。
【０００６】
従来の移動通信システムに含まれるものとしては、数台の移動端末１２０、１３０，１４０、基地局制御器１１０、パケットデータ端末１５０、データ通信網、および交換機１６０である。各移動端末１２０（１３０，１４０）にはデータ処理部１２１（１３１，１４１）およびボコーダー部１２２（１３２，１４２）が含まれている。図１に示すように、基地局制御器１１０では、移動端末のデータ処理部とボコーダー部にそれぞれ対応するデータ処理部１１２、１１５、１１８とボコーダー部１１３、１１６、１１９とが、各移動端末ごとに生成され、一対一に対応してサービスを提供する。
【０００７】
先ず、移動端末Ａ１２０にパケット・データ・サービスが提供される例を説明する。
【０００８】
移動端末Ａ１２０または移動通信システムのとちらか一方からパケット・データ・サービスが要求されると、先ず、サービス・オプション交渉が行われる。サービス・オプション交渉が正常に完了すると、パケット・データ・サービスの提供を受けるべく、前記移動端末Ａ１２０ではデータ処理部１２１の動作を設定し、同様に前記基地局制御器１１０でも前記移動端末Ａ１２０に対するデータ処理部１１２の動作を設定する。これにより、前記移動端末Ａ１２０とパケット・データ端末１５０間におけるパケット・データの送受信が可能になる。
【０００９】
次に、移動端末Ｂ１３０と移動端末Ｃ１４０間の音声通話が設定される例を説明する。
【００１０】
先ず、両移動端末Ａ，Ｂのどちらか一方が音声サービス・オプションによってサービスを要求すると、それぞれの移動端末に該当する、前記基地局制御器１１０のボコーダー部１１６、１１９が動作して相互間の通話路が設定される。これにより、移動端末間における音声サービスの提供が可能になる。 
【００１１】
図２に示すように、従来の移動端末は、移動端末または移動通信システムの要求に応じて、先にサービス・オプションに対する交渉手続きを行う。このサービス・オプション交渉を正常に行うことにより、サービス・オプションとしてデータのためのサービス・オプションを設定するか、または音声のためのサービス・オプションを設定するかを決定する。
【００１２】
したがって、移動端末のサービス選択部２３０は、サービス・オプション交渉の決定に基づいてデータ処理部２１０またはボコーダー部２２０を選択する。さらに、サービス・オプション交渉の結果により、前記データ処理部２１０と前記ボコーダー部２２０は相互排他的に動作する。
【００１３】
図３に示すように、従来の移動端末は、基本的にデータ・サービスまたは音声サービスが排他的に受信される。
【００１４】
移動端末に受信されたフレームは、サービス分配部３３０で音声データとパケット・データとに分けられ、データ処理部３１０とボコーダー部３２０とにそれぞれ送信された後、それぞれのサービスに合わせて処理できる。
【００１５】
従来の移動端末のデータ・サービス提供装置は、基本的に音声及びデータ・サービスを排他的に提供することから、より多様なサービスの提供を望む加入者のニーズに応えるには困難で、移動端末及び移動端末機能を有する装置に付加サービスを提供するには問題点がある。
【発明の開示】
【発明が解決しようとする課題】
【００１６】
本発明は、上記事情に鑑みてなされたもので、その目的は、同一の無線音声チャンネルを介して音声はもとより多様なサービスを多重化／逆多重化して提供することにより、一層多様な付加サービスを提供するための、同一の無線チャンネルを介して複数のサービスを提供する移動端末及びサービス提供方法を提供することにある。
【００１７】
また、本発明の他の目的は、移動通信システムと無線接続してサービスの提供を受ける移動端末間、または移動端末と移動端末機能を行う装置との間に複合的なサービスを提供するための移動通信データ・サービス及びサービス提供方法を提供することにある。
【００１８】
上記目的を達成するために、本発明に係る同一の無線チャンネルを介して複数のサービスを提供する移動端末は、同一の無線チャンネルに複数のサービスを多重化及び逆多重化して同時に提供する移動端末において、音声データを可変レートでボコーディングするためのボコーダー部と、音声サービス、文字メッセージ・サービス、画像及びイメージ・データ・サービスのうち少なくとも一つのサービスを多重化または逆多重化する多重化／逆多重化部と、前記サービスに対応するメッセージをパッケージ化する；多重化のための送信データ及び逆多重化された受信データを処理する少なくとも一つ以上のＣＭＳ（Ｃｏｎｃｕｒｒｅｎｔ  Ｍｕｌｔｉｐｌｅ  Ｓｅｒｖｉｃｅ）処理部と、前記パッケージ化されたメッセージを上向き無線接続によって複数の相手移動端末に同時に提供する；多重化されたフレームを無線整合形態に構成した後、移動通信網を介して送受信する無線モデム部と、を含んでいることを特徴とする。
【００１９】
移動端末では、前記多重化／逆多重化部は、前記ＣＭＳ処理部からのＣＭＳデータと前記ボコーダー部からの可変レートの音声フレームとを多重化して出力するＣＭＳ送信部と、前記無線モデム部から受信されるフレームを逆多重化してＣＭＳデータを抽出するＣＭＳ受信部と、を含んでなることを特徴とする。
【００２０】
また、移動端末では、前記ＣＭＳ送信部は、前記受信されるＣＭＳデータを保存する保存手段と、前記ボコーダーから受信される音声フレームの状態を検査する音声フレーム検査部と、前記音声フレーム検査部の検査結果に基づき、前記音声フレームとＣＭＳデータを一つのフレームとして出力するフレーム部と、を含んでいることを特徴とし、前記フレーム部は、ボコーダーから受信される音声フレームのレートがフル(Full)レートでない場合にのみＣＭＳデータを含んでフレーム化することを特徴とする。
【００２１】
また、移動端末では、前記ＣＭＳ受信部は、前記無線モデム部から受信されるフレームにＣＭＳデータがあるどうかを確認して検出するＣＭＳデータ確認／検出部と、前記ＣＭＳデータ確認／検出部で検出したＣＭＳデータを保存する 保存手段と、を含んでいることを特徴とする。
【００２２】
また、移動端末では、前記ＣＭＳ処理部は、移動端末と外部データ提供装置とを整合する送受信整合部と、前記送受信整合部から受信されるＣＭＳデータを多重化可能なタイプに変換して前記多重化／逆多重化部に出力する一方、多重化／逆多重化部に保存されているＣＭＳデータをユーザが確かめるためのタイプに変換して前記送受信整合部に出力するＣＭＳ管理部と、を含んでなることを特徴とする。
【００２３】
また、移動端末では、前記ＣＭＳ管理部は、前記送受信整合部から受信されるＣＭＳデータを分割するデータ分割部と、前記分割されたデータを特定周期ごとに多重化／逆多重化部に出力するか、多重化／逆多重化部に保存されているＣＭＳデータを特定周期ごとに取り出してデータ組合部に出力するデータ伝達部と、前記データ伝達部から受信されるＣＭＳデータを組み合わせるデータ組合部と、を含んでなることを特徴とし、前記データ分割部及びデータ組合部は、分割及び組み合わせたデータを保存するバッファーをさらに含むことを特徴とし、前記特定周期は、無線の音声チャンネルが提供するフレーム送信周期と同一であることを特徴とする。
【００２４】
また、移動端末における前記サービスとは、名刺サービス、写真サービス及びファイルサービスのうちいずれか一つであることを特徴とする。
【００２５】
本発明の他の側面として、同一の無線チャンネルに複数のサービスを多重化及び逆多重化して同時に提供する方法において、外部データ提供装置からＣＭＳデータを受信し、それを多重化可能なサイズに分割する段階と、ボコーダーから受信される音声フレームの可変レートを検査し、それが前記分割されたＣＭＳデータを含めるかどうかを判断する段階と、前記判断結果に基づき、ＣＭＳデータと音声フレームを一つのフレームとして無線モデム部に転送する段階と、を含んでいることを特徴とする。
【００２６】
また、本発明の更に他の側面として、複数のサービスを受信する方法においては、無線モデム部を介して受信されるフレームからＣＭＳデータを抽出して保存する段階と、前記保存されたＣＭＳデータを特定周期ごとに取り出して組み合わせる段階と、前記組み合わせられたＣＭＳデータを送受信整合部を介して外部データ提供装置に伝達する段階、とを含んでいることを特徴とする。
【発明を実施するための最良の形態】
【００２７】
以下、本発明の同一の無線チャンネルを介して複数のサービスを提供する移動端末及びサービス送受信方法に係る作用及び好適な実施例を、添付した図面を参照して詳しく説明する。
【００２８】
本発明の実施例に拠れば、移動通信システムには数台の移動端末、基地局制御器、パケットデータ端末、データ網、交換機が含まれている。本発明に係る移動端末は、制御部を介して移動端末間または移動端末および移動端末機能を有する装置間の複合的なサービスを提供することができる。
【００２９】
基地局制御器については、前記図１の説明と同様なのでその詳細な説明を省略する。
【００３０】
図５に示すように、本発明のサービス提供のための移動端末または移動端末機能を行う装置は、複数のＣＭＳ（Ｃｏｎｃｕｒｒｅｎｔ  Ｍｕｌｔｉｐｌｅ  Ｓｅｒｖｉｃｅ；ＣＭＳ）処理部６００、ボコーダー部７００、多重化／逆多重化部８００及び無線モデム部９００を含んで構成される。ＣＭＳサービスにはテキスト、名刺、写真、動画、イモティコン（Ｅｍｏｔｉｏｎａｌ  Ｉｃｏｎ）などがある。ＣＭＳデータは、外部データ提供装置あるいは移動端末のメモリに保存される。
【００３１】
前記複数のＣＭＳ処理部６００は、音声通話中に外部データ提供装置または各種データを保存手段に保存している移動端末そのものからテキスト、名刺、写真、ファイル、イメージ、動画、イモティコンなどのＣＭＳデータが送信される場合、そのデータを前記多重化／逆多重化部８００に伝達する機能を司る。一方、音声通話中に前記ＣＭＳデータが受信される場合、前記多重化／逆多重化部８００から音声データと分離される前記ＣＭＳデータを受信し、それを処理する機能を司る。
【００３２】
前記ボコーダー部７００は、音声データを可変レートでボコーディングする機能を司る例えば、ユーザが話しをするときはフルレートでボコーディングし、ユーザを話しをしないときは１／８レートでボコーディングを行う。
【００３３】
前記多重化／逆多重化部８００は、音声通話中にＣＭＳデータが送信される場合、前記ボコーダー部７００のデータと前記ＣＭＳ処理部６００のデータとを一つのフレームに多重化して前記無線モデム部９００に伝達する機能を司る。一方、前記多重化／逆多重化部８００は、音声通話中にＣＭＳデータが受信される場合、前記無線モデム部９００からそれを受信し、各データを逆多重化して前記ボコーダー部７００及び前記ＣＭＳ処理部６００に伝達する機能を司る。
【００３４】
前記無線モデム部９００は、無線整合標準機能を有し、前記多重化／逆多重化部８００から受信した一つのフレームを移動通信網に送出したり、移動通信網から受信したデータフレームを前記多重化／逆多重化部８００に伝達する機能を司る。
【００３５】
係るそれぞれの構成手段の作用により、音声通話中に移動端末と接続された外部データ提供装置または移動端末そのものからＣＭＳデータが転送されると、前記ＣＭＳ処理部６００は、ＣＭＳデータを多重化可能に処理して多重化／逆多重化部８００に伝達する。そうすると、前記多重化／逆多重化部８００は、ボコーダー部７００からの音声フレームと前記ＣＭＳ処理部６００からのＣＭＳデータとを一つのフレームに多重化して無線モデム部９００に伝達する。
【００３６】
一方、移動端末が音声フレームとＣＭＳデータから成るフレームを受信すると、前記多重化／逆多重化部８００は、無線モデム部９００から受信される無線の音声フレームを逆多重化して、ＣＭＳ処理部６００に伝達するＣＭＳデータとボコーダー部７００に伝達する音声フレームとに分離する。その後、前記ＣＭＳデータはＣＭＳ処理部６００で処理されてユーザに伝達される。
【００３７】
図６に示すように、ＣＭＳ処理部６００は送受信整合部６１０とＣＭＳ管理部６２０とからなる。
【００３８】
前記送受信整合部６１０は、本発明の移動端末と接続できる外部データ提供装置との整合機能を有する。前記外部データ提供装置は、テキスト、名刺、イメージ、動画などのＣＭＳデータを提供することができる。
【００３９】
前記ＣＭＳ管理部６２０は、前記送受信整合部６１０から受信されるＣＭＳデータを、多重化／逆多重化部８００での多重化を実現できるデータタイプに変換して出力したり、前記多重化／逆多重化部８００に保存されているＣＭＳデータを取り出し、ユーザが確かめるためのデータタイプに変換して送受信整合部６１０に出力する。前記送受信整合部６１０から出力されるＣＭＳデータは、外部データ提供装置に伝達されてユーザによって確認される。
【００４０】
より正確に言えば、上記の如き動作を行うＣＭＳ管理部６２０は、データ分割部６２１と、データ伝達部６２２と、データ組合部６２３とから構成される。
【００４１】
前記データ分割部６２１は、送受信整合部６１０から受信されるＣＭＳデータを、多重化／逆多重化部８００での多重化を実現できるデータサイズに分割する。データ伝達部６２２は、前記分割されたＣＭＳデータを特定周期ごとに多重化／逆多重化部８００に出力したり、前記多重化／逆多重化部８００で逆多重化されて保存手段８２２に保存されているＣＭＳデータを、特定周期ごとに取り出してデータ組合部６２３に出力する。前記特定周期は変更可能であるが、好ましくは、無線の音声チャンネルが提供するフレーム 転送周期と同様にする。一方、データ組合部６２３は、前記データ伝達部６２２から受信されるＣＭＳデータを、ユーザが確かめるためのデータタイプに組み合わせて送受信整合部６１０に出力する。
【００４２】
一方、前記データ分割部６２１とデータ組合部６２３は、送受信整合部６１０またはデータ伝達部６２２に伝達する前に、分割あるいは組み合わせたＣＭＳデータを一時的に保存できるバッファーをさらに含む。
【００４３】
図７に示すように、多重化／逆多重化部８００は、ＣＭＳ送信部８１０とＣＭＳ受信部８２０から成る。多重化／逆多重化部８００は、ＣＭＳ処理部６００からのＣＭＳデータとボコーダー部７００からの可変レートの音声フレームとを多重化して無線モデム部９００に出力するＣＭＳ送信部８１０と、無線モデム部９００からの無線音声フレームを逆多重化してボコーダー部７００に伝達する音声フレームとＣＭＳ処理部６００に伝達するＣＭＳデータとに分離した後、その中からＣＭＳデータを抽出して保存するＣＭＳ受信部８２０と、を含んでいる。
【００４４】
より正確に言えば、前記ＣＭＳ送信部８１０は、保存手段８１１と、音声フレーム検査部８１２と、フレーム部８１３とから構成されており、上記の動作を行う。すなわち、前記保存手段８１１は、ＣＭＳ処理部６００から受信される分割されたＣＭＳデータを一時的に保存する役割を果し、音声フレーム検査部８１２は、前記ＣＭＳデータを一つのフレームに含めるかどうかを確認するために、ボコーダー部７００から受信される音声フレームの可変レートの状態を検査する役割を果す。一方、前記フレーム部８１３は、前記音声フレーム検査部８１２の検査結果に基づき、前記ボコーダー部７００から受信される音声フレームと、保存手段８１１に保存されている分割されたＣＭＳデータとを、一つのフレームに構成して無線モデム部９００に出力する。前記フレーム部８１３は、ボコーダー部７００から受信される音声フレームの可変レートがフル(Full)レートでなければ、音声フレームとＣＭＳデータを一つのフレームに構成することができるが、好ましくは、ボコーダー部７００から受信される音声フレームの可変レートが１／８レートである場合に、音声フレームとＣＭＳデータを一つのフレームに構成する。
【００４５】
一方、前記ＣＭＳ受信部８２０は、ＣＭＳデータ確認／検出部８２１と、保存手段８２２とから構成されており、上記の動作を行う。すなわち、前記ＣＭＳデータ確認／検出部８２１は、無線モデム部９００から受信される無線の音声フレームにＣＭＳデータが含まれているどうかを確認し、含まれている場合には受信された音声フレームを逆多重化した後、ＣＭＳデータを検出する役目を行う。一方、前記保存手段８２２は、前記ＣＭＳデータ確認／検出部８２１で検出したＣＭＳデータを一時的に保存するバッファー機能を有する。
【００４６】
以上説明した前記構成手段の動作を行うことで実施可能な一実施例を具体的に説明する。
【００４７】
先ず、各鐘サービス・データを送信する場合について説明する。
【００４８】
各種サービス提供のためのデータを入出力する外部データ提供装置からＣＭＳデータ（テキスト、写真、名刺、ファイル、動画などのデータ）が入力されると、このＣＭＳデータはＣＭＳ処理部６００の送受信整合部６１０を介してＣＭＳ管理部６２０に伝達される。一方、移動端末のキーパッド操作によって移動端末の内部メモリに保存されているＣＭＳデータを呼び出し、それをＣＭＳ管理部６２０に伝達することができる。
【００４９】
前記ＣＭＳ管理部６２０のデータ分割部６２１は、入力される該当サービス・データを、ボコーダー部７００から出力される音声フレームに含まれて一つのフレームに構成できるべく、一定のサイズに分割してバッファーに保存する。それからＣＭＳ管理部６２０はデータの断片、つまりは分割されたＣＭＳデータをメモリに保存する。音声フレームはボコーダー部７００に出力される。
【００５０】
そうすると、ＣＭＳ管理部６２０のデータ伝達部６２２は、 前記データ分割部６２１に保存されている分割されたＣＭＳデータを特定周期ごとに取り出して多重化／逆多重化部８００に伝達する。前記伝達されたＣＭＳデータは、多重化／逆多重化部８００の保存手段８１１に保存される。
【００５１】
一方、多重化／逆多重化部８００の音声フレーム検査部８１２は、ボコーダー部７００から受信される音声フレームの可変レートの状態を検査し、その結果をフレーム部８１３に出力する。このように音声フレームの可変レートを検査する理由は、音声フレームの可変レートがフル(full)レートでない場合に限ってＣＭＳデータを含ませて一つのフレームに構成することができるからである。
【００５２】
前記音声フレームの可変レート状態の結果を入力されたフレーム部８１３は、可変レートがフルレートでない場合に、ボコーダー部７００から受信される音声フレームと、保存手段８１１に保存されている分割されたＣＭＳデータとを、一つのフレームに構成して無線モデム部９００に伝達する。一方、前記可変レートは１／８レートの場合が最も好ましい。
【００５３】
このようにボコーダー部７００から出力される音声フレームの可変レートがフル(full)レートでない場合に、各種サービス・データ、つまりＣＭＳデータや音声フレーム、を前記音声フレームに含ませて一つのフルレートの音声フレームに再構成してネットワークを介して転送する。すると、無線区間及びシステム区間（基地局及び交換局）では、前記ＣＭＳデータや音声フレームを含む単一のフレームが通常の音声フレームと認識される。一方、端末機ではＣＭＳフレームと認識される。それ故、音声通話中にデータを取り交わすことができる。
【００５４】
次に、各種サービス・データを受信する場合について説明する。
【００５５】
同一の無線チャンネルを介して端末に受信される音声フレームは、無線モデム部９００を介して多重化／逆多重化部８００に伝達される。すると、多重化／逆多重化部８００のＣＭＳデータ確認／検出部８２１は、受信されたフレームにＣＭＳデータが含まれているどうかを確認し、その結果、含まれている場合は、フレームを逆多重化してボコーダー部７００に伝達する音声フレームとＣＭＳ処理部６００に伝達するＣＭＳデータとに分離した後、その内からＣＭＳデータを抽出して出力する。前記ＣＭＳデータ確認／検出部８２１によって抽出されたＣＭＳデータは保存手段８２２に伝達されて一時的に保存される。
【００５６】
前記ＣＭＳデータが保存手段８２２に保存されると、ＣＭＳ処理部６００のデータ伝達部６２２は、前記保存手段８２２に保存されているＣＭＳデータを特定周期ごとに取り出して出力する。前記出力されたＣＭＳデータはデータ組合部６２３でユーザが確かめるためのデータタイプに組み合わせられる。
【００５７】
前記組み合わせられたＣＭＳデータは、送受信整合部６１０を介して外部データ提供装置に伝達されて、ユーザによって確認される。一方、前記組み合わせられたＣＭＳデータは、移動端末のメモリに保存され、ユーザのニーズに応じて、移動端末のキーパッド操作によってディスプレイできる。
【００５８】
移動通信システムにおいてメッセンジャー機能を行う場合、ＣＭＳ機能を有する特殊移動端末と接続されて整合するメッセンジャーで受信者の情報とメッセージをカプセル化して一つのメッセージにしてサーバーに転送する。サーバーはそれを受信し、ＳＭＳセンターと整合してそれぞれの受信者にメッセージを転送することができる。よって、受信者の数に関係なく一回の無線接続だけで、前記無線メッセージを転送することができる。
【００５９】
例えば、従来では、無線メッセンジャーを用いて１,０００人の顧客にメッセージを転送する場合、１,０００回のチャンネル設定を行い１,０００回のメッセージを転送していた。しかし、本発明では、メッセージを上向きに転送する場合、たった一回のチャンネル設定を行うだけで１,０００人の顧客にメッセージを転送することができる。
【００６０】
以上説明した本発明は、上述した実施例及び添付図によって限定されるものではなく、本発明の技術的思想を逸脱しない範囲内で様々な置換、変形及び変更が可能である。これは本発明の属する技術分野で通常の知識を有する者には明らかなことである。
【産業上の利用可能性】
【００６１】
本発明は、複数のサービスを同時に送／受信することにより、複数のサービスを同時に提供することができ、その結果、移動通信システムにおける付加サービスを容易に創出することができ、さらに、複数のサービスを最適化することで一つのフレームを生成して送／受信することにより、無線網の効率的な運用に寄与できるという効果がある。すなわち、従来では、網間相互接続によれば、移動端末と言っても移動通信網から提供される音声と他のサービスを同時に提供してもらいたい場合、多くの制約があり且つ高いコストがかかるのに対して、本発明では、音声サービスはもとより各種の付加サービスを創出できることから、希望するサービスを安価で同時に受けることができる、という効果がある。
【００６２】
また、従来では、移動端末及び移動端末機能を有する装置から多量の無線メッセージを発送する場合、受信者の数だけ無線接続を行い移動通信網に転送する必要があるのに対して、本発明では、受信者の数に関係なく一回の無線接続だけで、前記無線メッセージを転送することができる。したがって、無線網の負荷を画期的に減らすことができ、のみならず無線網を利用するメッセンジャー方式と同一の保安性を提供することができる。 
【００６３】
また、従来の無線接続メッセンジャーでは、それぞれの受信者ごとにメッセージを送信しなければならないのに対して、本発明では、受信者の数と関係なく一回の無線接続だけで、無線網で上向きに転送されるデータを画期的に減らすことができる。
【図面の簡単な説明】
【００６４】
本発明に係る、上述のあるいは他の特徴や利点は、添付図を参照しながら詳細に例示した実施形態を説明することで、より明確になるであろう。
【図１】従来のデータ・サービス提供のための移動通信システムの構成図である。
【図２】前記図１の移動端末の送信部を説明するための詳細な構造図である。
【図３】前記図１の移動端末の受信部を説明するための詳細な構造図である。
【図４】本発明に係るデータ・サービス提供のための一実施例の構成図である。
【図５】前記図４の移動端末の構成図である。
【図６】本発明の実施例に係るＣＭＳ処理部の詳細なブロック図である。
【図７】本発明の実施例に係る多重化／逆多重化部の詳細なブロック図である。
【符号の説明】
【００６５】
１１０    基地局制御器
１１１    移動端末Ａ処理部
１１２    データ処理部
１１３    ボコーダー部
１１４    移動端末Ｂ処理部
１１５    データ処理部
１１６    ボコーダー部
１１７    移動端末Ｃ処理部
１１８    データ処理部
１１９    ボコーダー部
１２０    移動端末Ａ
１２１    データ処理部
１２２    ボコーダー部
１３０    移動端末Ｂ
１３１    データ処理部
１３２    ボコーダー部
１４０    移動端末Ｃ
１４１    データ処理部
１４２    ボコーダー部
１５０    パケット・データ端末
１６０    交換機
２１０    データ処理部
２２０    ボコーダー部
２３０    サービス選択部
２４０    無線モデム部
３１０    データ処理部
３２０    ボコーダー部
３３０    サービス分配部
３４０    無線モデム部
６００    ＣＭＳ処理部
６１０    送受信整合部
６２０    ＣＭＳ管理部
６２１    データ分割部
６２２    データ伝達部
６２３    データ組合部
７００    ボコーダー部
８００    多重化／逆多重化部
８１０    ＣＭＳ送信部
８１１    保存手段
８１２    音声フレーム検査部
８１３    フレーム部
８２０    ＣＭＳ受信部
８２１    ＣＭＳデータ確認／検出部
８２２    保存手段
９００    無線モデム部
【図１】
2006516841.tif 000003
【図２】
2006516841.tif 000004
【図３】
2006516841.tif 000005
【図４】
2006516841.tif 000006
【図５】
2006516841.tif 000007
【図６】
2006516841.tif 000008
【図７】
2006516841.tif 000009
【国際調査報告】
2006516841.tif 000010
2006516841.tif 000011
2006516841.tif 000012